(57)【特許請求の範囲】
【請求項１】
電力供給遮断があった複数の基地局に対する、電力供給が再開した後の復旧処理時において、所定の基地局から優先的に基地局設定のための局データに要する処理を行う移動体通信システムであって、
前記複数の基地局のそれぞれが不感地帯に存在するか否かを判断し、第１段階として、前記不感地帯に存在する基地局から最優先に前記局データに要する処理を行い、第２段階として、前記不感地帯に存在しない基地局に対しては、該当する基地局の通信エリア内に含まれる端末数あるいは該当する基地局が収容可能な人数の値に応じて、前記端末数あるいは前記人数の値が大きい基地局を優先的に前記局データに要する処理を行う起動制御部を備える
ことを特徴とする移動体通信システム。
【請求項２】
請求項１に記載の移動体通信システムに適用され、制御装置に対して基地局設定のための局データを要求することで前記制御装置から前記局データを取得し、前記局データによる基地局設定を行う基地局であって、
自基地局の電源がＯＦＦとなる際の、自基地局内で行われる処理が正常に行われているか否かを監視し、異常であったら、次の電源ＯＮ時まで、前回の電源ＯＦＦ時の処理が異常であったことを記憶しておく電源監視部と、
自基地局が不感地帯に位置することを検知して記憶する周辺環境測定部と、
自基地局に接続する端末数を時間帯別に統計情報として記憶した統計情報記憶部と、
前記制御装置に対して前記局データを要求する局データ要求部と、
自基地局通信エリア内に存在する端末数と、前記制御装置に対して前記局データ要求部を介して前記局データを要求する際の待ち時間とを対応付けた第１の待ち時間テーブルをあらかじめ記憶しておき、電力供給が再開した後の復旧処理時において、前記電源監視部の記憶内容から前回の電源ＯＦＦが異常であったことを判断した場合には、第１段階として、前記周辺環境測定部の検知結果から自基地局が不感地帯に存在すると判断したときには、待ち時間なしで局データの要求処理の実行を前記局データ要求部に命令し、第２段階として、前記周辺環境測定部の検知結果から自基地局が不感地帯に存在しないと判断したときには、前記第１の待ち時間テーブルを参照することで前記統計情報記憶部から取得した前記端末数に対応する待ち時間を特定し、特定した前記待ち時間の経過後、局データの要求処理の実行を前記局データ要求部に命令する起動制御部と
を備えることを特徴とする基地局。
【請求項３】
請求項１に記載の移動体通信システムに適用され、１台の広域基地局、および前記広域基地局と同一の通信エリア内に含まれている複数の基地局に接続され、前記広域基地局の通信状態の監視結果に基づいて、前記複数の基地局のそれぞれに対して、優先度に応じて、基地局設定のための局データを送信する制御装置であって、
前記広域基地局における、一定時間当たりの接続端末数の増加の度合い、もしくは無線リソース使用率の増加の度合いを監視し、増加の度合いが所定の閾値を超えた場合には、前記複数の基地局の１台以上において電源への電力供給遮断が発生し、電源がＯＦＦとなったと判断し、その後、当該基地局の電源がＯＮとなるまで、当該基地局の前回の電源ＯＦＦの処理が異常であったことを記憶しておく異常監視部と、
前記複数の基地局の中で、不感地帯に位置する基地局を検知して記憶する環境記憶部と、
それぞれの基地局に対して前記基地局設定のための局データの送信処理を行う基地局設定部と、
前記複数の基地局に共通するテーブルとして、基地局の通信エリア内に存在する端末数と優先度とを対応付けた第１の優先度テーブルをあらかじめ記憶しておき、基地局の電源がＯＮした後の復旧処理時において、前記電源監視部の記憶内容から前回の電源ＯＦＦが異常であったことを判断した場合には、第１段階として、前記環境測定部の検知結果から不感地帯に存在する基地局に対して前記基地局設定のための局データの送信処理を最優先して行うように前記基地局設定部に命令し、第２段階として、前記環境測定部の検知結果から不感地帯に存在しない基地局に対しては、前記広域基地局から報告される、各端末における電波到来方向推定情報と、前記広域基地局の下り送信電力値とを用いて各基地局通信エリア内の端末数を求め、前記第１の優先度テーブルを参照することで、求めた前記端末数に対応する優先度を特定し、それぞれの基地局に対する前記基地局設定のための局データの送信処理を、特定した優先度に応じて行うように前記基地局設定部に命令する起動制御部と
を備えることを特徴とする制御装置。
【請求項４】
請求項１に記載の移動体通信システムに適用され、１台の広域基地局、および前記広域基地局と同一の通信エリア内に含まれている複数の基地局に接続され、前記広域基地局の通信状態の監視結果に基づいて、前記複数の基地局のそれぞれに対して、優先度に応じて、基地局設定のための局データを送信する制御装置であって、
前記広域基地局における、一定時間当たりの接続端末数の増加の度合い、もしくは無線リソース使用率の増加の度合いを監視し、増加の度合いが所定の閾値を超えた場合には、前記複数の基地局の１台以上において電源への電力供給遮断が発生し、電源がＯＦＦとなったと判断し、その後、当該基地局の電源がＯＮとなるまで、当該基地局の前回の電源ＯＦＦの処理が異常であったことを記憶しておく異常監視部と、
前記複数の基地局の中で、不感地帯に位置する基地局を検知して記憶する環境記憶部と、
それぞれの基地局に接続する端末数を時間帯別に統計情報として記憶した統計情報記憶部と、
それぞれの基地局に対して前記基地局設定のための局データの送信処理を行う基地局設定部と、
前記複数の基地局に共通するテーブルとして、基地局の通信エリア内に存在する端末数と優先度とを対応付けた第１の優先度テーブルをあらかじめ記憶しておき、基地局の電源がＯＮした後の復旧処理時において、前記電源監視部の記憶内容から前回の電源ＯＦＦが異常であったことを判断した場合には、第１段階として、前記環境測定部の検知結果から不感地帯に存在する基地局に対して前記基地局設定のための局データの送信処理を最優先して行うように前記基地局設定部に命令し、第２段階として、前記環境測定部の検知結果から不感地帯に存在しない基地局に対しては、前記統計情報記憶部に記憶された前記統計情報から端末数を求め、前記第１の優先度テーブルを参照することで、求めた前記端末数に対応する優先度を特定し、それぞれの基地局に対する前記基地局設定のための局データの送信処理を、特定した優先度に応じて行うように前記基地局設定部に命令する起動制御部と
を備えることを特徴とする制御装置。
【請求項５】
請求項１に記載の移動体通信システムにおいて、
自基地局が不感地帯に位置するか否かを通知する機能を有する複数の基地局と、
前記広域基地局および前記複数の基地局と接続され、前記複数の基地局からの基地局情報に基づいて、前記複数の基地局のそれぞれに対して、優先度に応じて、基地局設定のための局データを送信する制御装置と
を備え、
前記複数の基地局のそれぞれは、
自基地局の電源がＯＦＦとなる際の、自基地局内で行われる処理が正常に行われているか否かを監視し、異常であったら、次の電源ＯＮ時まで、前回の電源ＯＦＦ時の処理が異常であったことを記憶しておく電源監視部と、
自基地局が不感地帯に位置することを検知して記憶する周辺環境測定部と、
自基地局に接続する端末数を時間帯別に統計情報として記憶した統計情報記憶部と、
前記電源監視部の記憶内容に基づく前回の電源ＯＦＦの処理が異常であるか否かの情報、前記周辺環境測定部の検知結果に基づく自基地局が不感地帯に位置するか否かの情報、および前記統計情報記憶部に記憶された前記統計情報を、基地局情報として前記制御装置に通知する送信部と
を備え、
前記制御装置は、
それぞれの基地局内の前記送信部から前記基地局情報を受信する受信部と、
それぞれの基地局に対して前記基地局設定のための局データの送信処理を行う基地局設定部と、
前記複数の基地局に共通するテーブルとして、基地局の通信エリア内に存在する端末数と優先度とを対応付けた第１の優先度テーブルをあらかじめ記憶しておき、前記基地局情報に基づいた、基地局の電源がＯＮした後の復旧処理時において、第１段階として、前回の電源ＯＦＦが異常であり、かつ不感地帯に存在する基地局に対して、前記基地局設定のための局データの送信処理を最優先して行うように前記基地局設定部に命令し、第２段階として、不感地帯に存在しない基地局に対しては、前記基地局情報に含まれる前記統計情報から端末数を求め、前記第１の優先度テーブルを参照することで、求めた前記端末数に対応する優先度を特定し、それぞれの基地局に対する前記基地局設定のための局データの送信処理を、特定した優先度に応じて行うように前記基地局設定部に命令する起動制御部と
を備えることを特徴とする移動体通信システム。
【請求項６】
請求項１に記載の移動体通信システムにおいて、
１台の広域基地局と、
前記広域基地局と同一の通信エリア内に含まれており、自基地局が不感地帯に位置するか否かを通知する機能を有する複数の基地局と、
前記広域基地局および前記複数の基地局と接続され、前記複数の基地局からの基地局情報に基づいて、前記複数の基地局のそれぞれに対して、優先度に応じて、基地局設定のための局データを送信する制御装置と
を備え、
前記複数の基地局のそれぞれは、
自基地局の電源がＯＦＦとなる際の、自基地局内で行われる処理が正常に行われているか否かを監視し、異常であったら、次の電源ＯＮ時まで、前回の電源ＯＦＦ時の処理が異常であったことを記憶しておく電源監視部と、
自基地局が不感地帯に位置することを検知して記憶する周辺環境測定部と、
前記電源監視部の記憶内容に基づく前回の電源ＯＦＦの処理が異常であるか否かの情報、および前記周辺環境測定部の検知結果に基づく自基地局が不感地帯に位置するか否かの情報を基地局情報として前記制御装置に通知する送信部と
を備え、
前記制御装置は、
それぞれの基地局内の前記送信部から前記基地局情報を受信する受信部と、
それぞれの基地局に対して前記基地局設定のための局データの送信処理を行う基地局設定部と、
前記複数の基地局に共通するテーブルとして、基地局の通信エリア内に存在する端末数と優先度とを対応付けた第１の優先度テーブルをあらかじめ記憶しておき、前記基地局情報に基づいた、基地局の電源がＯＮした後の復旧処理時において、第１段階として、前回の電源ＯＦＦが異常であり、かつ不感地帯に存在する基地局に対して、前記基地局設定のための局データの送信処理を最優先して行うように前記基地局設定部に命令し、第２段階として、不感地帯に存在しない基地局に対しては、広域基地局から報告される、各端末における電波到来方向推定情報と、広域基地局の下り送信電力値とを用いて各基地局通信エリア内の端末数を求め、前記第１の優先度テーブルを参照することで、求めた前記端末数に対応する優先度を特定し、それぞれの基地局に対する前記基地局設定のための局データの送信処理を、特定した優先度に応じて行うように前記基地局設定部に命令する起動制御部と
を備えることを特徴とする移動体通信システム。
【請求項７】
請求項２に記載の基地局において、
前記起動制御部は、電源がＯＦＦからＯＮになる時間間隔が、自基地局の電源への電力供給遮断が一時的と判断される下限値より短い場合には、前記局データを要求する必要がないと判断し、電力供給遮断前の局データを用いて前記基地局設定を行うことを特徴とする基地局。
【請求項８】
請求項２に記載の基地局において、
前記起動制御部は、前記第１の待ち時間テーブルをあらかじめ記憶しておく代わりに、自基地局の収容可能人数と、前記制御装置に対して前記局データ要求部を介して前記局データを要求する際の待ち時間とを対応付けた第２の待ち時間テーブルをあらかじめ記憶しておき、電力供給が再開した後の復旧処理時において、前記第２段階として、前記第１の待ち時間テーブルの代わりに前記第２の待ち時間テーブルを参照する
ことを特徴とする基地局。
【請求項９】
請求項３または４に記載の制御装置において、
前記起動制御部は、前記第１の優先度テーブルをあらかじめ記憶しておく代わりに、それぞれの基地局の収容可能人数と優先度とを対応付けた第２の優先度テーブルをあらかじめ記憶しておき、基地局の電源がＯＮした後の復旧処理時において、前記電源監視部の記憶内容から前回の電源ＯＦＦが異常であったことを判断した場合には、前記第２段階として、前記第１の優先度テーブルの代わりに前記第２の優先度テーブルを参照する
ことを特徴とする制御装置。
【請求項１０】
電力供給遮断があった複数の基地局に対する、電力供給が再開した後の復旧処理時において、所定の基地局から優先的に基地局設定のための局データに要する処理を行う移動体通信システムにおいて実行される移動体通信方法であって、
前記複数の基地局のそれぞれが不感地帯に存在するか否かを判断するステップと、
第１段階として、前記不感地帯に存在する基地局から最優先に前記局データに要する処理を行うステップと、
第２段階として、前記不感地帯に存在しない基地局に対しては、該当する基地局の通信エリア内に含まれる端末数あるいは該当する基地局が収容可能な人数の値に応じて、前記端末数あるいは前記人数の値が大きい基地局を優先的に前記局データに要する処理を行うステップと
を備えることを特徴とする移動体通信方法。
【発明の詳細な説明】
【技術分野】
【０００１】
本発明は、移動体通信システム、基地局、制御装置、および移動体通信方法に関し、特に、停電による基地局への電力供給遮断からの復旧時において、基地局設定に関わる負荷を分散する制御に関するものである。
【背景技術】
【０００２】
移動体通信システムでは、制御装置が基地局設定のための局データの設定処理を含む制御を複数の基地局に対して行っているが、第４世代移動通信システムでは、屋内の通信品質改善のため、フェムトセル用無線基地局装置（以下、基地局装置を単に基地局と称する。）の利用が検討されている（例えば、非特許文献１参照）。
【０００３】
フェムトセル用無線基地局を用いた場合、多数のフェムトセル用無線基地局が制御装置に接続される。この場合、停電によるフェムトセル用無線基地局への電力供給遮断からの復旧時、一斉に複数のフェムトセル用無線基地局が起動し、制御装置へ無線基地局設定のための局データの要求を行うと、制御装置において基地局設定に関わる処理の負荷が増大する。
【０００４】
これに対し、例えば特許文献１では、１台の基地局が周辺基地局から、周辺基地局の報知情報（周辺基地局の識別情報などを含む）を取得し、制御装置に送信することで、制御装置が多数の基地局から報知情報を取得する必要がなくなる分、負荷を低減している。
【０００５】
また例えば、特許文献２では、各フェムトセル無線基地局は、ランダムに設定された待機時間経過後、端末への再接続促進メッセージを制御装置に送信し、各端末による各フェムトセル無線基地局に対する位置登録の開始タイミングを分散させ、制御装置の負荷を低減している。
【先行技術文献】
【非特許文献】
【０００６】
【非特許文献１】Calin D. Claussen H. Uzunａlioglu H.「On Femto Deployment Architectures and Macrocell Offloading Benefits in Joint Macro-Femto Deployments」、IEEE Communications Magazine、January 2010.
【特許文献】
【０００７】
【特許文献１】特開２０１０−１６１５５２号公報
【特許文献２】特開２０１０−１６６２７２号公報
【発明の概要】
【発明が解決しようとする課題】
【０００８】
しかしながら、従来技術には、以下のような課題がある。
制御装置の制御下で基地局設定のための局データが設定される移動体通信システムでは、一斉に複数の基地局が起動するときには基地局設定のための局データの設定に要する処理の急激な負荷上昇が生じるが、上記の特許文献１および２では、制御装置の負荷は低減できるものの、制御装置に接続される全ての基地局に対し、平等に処理が完了する機会が与えられているため、不感地帯にフェムトセル用無線基地局が位置する場合に、停電によるフェムトセル用無線基地局へ電力供給遮断から復旧する時には、真っ先にこのフェムトセル用無線基地局に対し基地局設定が完了させることが求められる。
【０００９】
また、停電によるフェムトセル用無線基地局への電力供給遮断により低下したユーザの通信品質を早期に回復させるため、セル配下に端末を多く有するフェムトセル用無線基地局も優先的に基地局設定を完了させることが求められる。
【００１０】
したがって、制御装置に接続する全てのフェムトセル無線基地局に対し、平等に基地局設定が完了する機会が与えられると、上記の要求に応えられないという課題がある。
【００１１】
本発明は以上の課題に鑑みてなされたもので、停電による基地局への電力供給遮断からの復旧時において、基地局設定に関わる負荷を分散しつつ、所定の基地局から優先的に基地局設定のための局データに要する処理を行うことができる移動体通信システム、基地局、制御装置、および移動体通信方法を得ることを目的とする。
【課題を解決するための手段】
【００１２】
本発明の移動体通信システムによれば、電力供給遮断があった複数の基地局に対する、電力供給が再開した後の復旧処理時において、所定の基地局から優先的に基地局設定のための局データに要する処理を行う移動体通信システムであって、複数の基地局のそれぞれが不感地帯に存在するか否かを判断し、第１段階として、不感地帯に存在する基地局から最優先に局データに要する処理を行い、第２段階として、不感地帯に存在しない基地局に対しては、該当する基地局の通信エリア内に含まれる端末数あるいは該当する基地局が収容可能な人数の値に応じて、端末数あるいは人数の値が大きい基地局を優先的に局データに要する処理を行う起動制御部を備えるものである。
【００１３】
また、本発明の移動体通信方法によれば、電力供給遮断があった複数の基地局に対する、電力供給が再開した後の復旧処理時において、所定の基地局から優先的に基地局設定のための局データに要する処理を行う移動体通信システムにおいて実行される移動体通信方法であって、複数の基地局のそれぞれが不感地帯に存在するか否かを判断するステップと、第１段階として、不感地帯に存在する基地局から最優先に局データに要する処理を行うステップと、第２段階として、不感地帯に存在しない基地局に対しては、該当する基地局の通信エリア内に含まれる端末数あるいは該当する基地局が収容可能な人数の値に応じて、端末数あるいは人数の値が大きい基地局を優先的に局データに要する処理を行うステップとを備えるものである。
【発明の効果】
【００１４】
本発明によれば、基地局について、停電が発生し、自基地局電源への電力供給が遮断されるなど、処理が正常に行われなかった場合、自基地局の電源がＯＦＦとなる際に、自基地局内で行われる処理が異常であることと、自基地局が不感地帯に存在することを、基地局自身もしくは制御装置が検知し、検知した複数の基地局のうち、不感地帯に位置する基地局から最優先に基地局設定のための局データに要する処理が行われ、不感地帯に位置しないときは、統計的に基地局の通信エリア内に存在する端末数や基地局収容人数や端末数の増加度が多い基地局から優先されて処理が行われる機能を備えたので、停電による基地局への電力供給遮断からの復旧時において、基地局設定に関わる負荷を分散しつつ、所定の基地局から優先的に基地局設定のための局データに要する処理を行うことができる移動体通信システム、基地局、制御装置、および移動体通信方法を得ることができる。
【図面の簡単な説明】
【００１５】
【図１】本発明に係る基地局および制御装置を含む移動体無線通信システム全体の一般的な構成例を示すブロック図である。
【図２】実施の形態１の基地局を含む移動体無線通信システムの構成例を示すブロック図である。
【図３】実施の形態１における、基地局通信エリア内の端末数に対する待ち時間を設定したテーブル例を示す図である。
【図４】実施の形態１における、基地局の収容可能人数に対する待ち時間を設定したテーブル例を示す図である。
【図５】実施の形態１の処理例を示すフローチャート図である。
【図６】実施の形態２の制御装置を含む移動体無線通信システムの構成例を示すブロック図である。
【図７】実施の形態２における、各基地局に対する優先度を設定したテーブル例を示す図である。
【図８】実施の形態２における、基地局通信エリア内の端末数に対する優先度を設定したテーブル例を示す図である。
【図９】実施の形態２における、広域基地局における端末数の増加度に対する優先度を設定したテーブル例を示す図である。
【図１０】実施の形態２，３における、基地局の収容人数に対する優先度を設定したテーブル例を示す図である。
【図１１】実施の形態２の処理例を示すフローチャート図である。
【図１２】実施の形態３の基地局および制御装置を含む移動体無線通信システムの構成例を示すブロック図である。
【図１３】実施の形態３の基地局及び制御装置の各処理例を示すフローチャート図である。
【発明を実施するための形態】
【００１６】
以下、本発明に係る移動体通信システム、基地局、制御装置、および移動体通信方法の好適な実施の形態につき図面を用いて説明する。
【００１７】
実施の形態１．
この実施の形態１では、基地局について、停電が発生し、自基地局電源への電力供給が遮断されるなど、処理が正常に行われなかった場合、自基地局の電源がＯＦＦとなる際に、自基地局内で行われる処理が異常であることと、自基地局が不感地帯に存在することを、基地局自身が検知し、検知した複数の基地局のうち、不感地帯に位置する基地局が存在するときには、その基地局から待ち時間なしで最優先に基地局設定のための局データに要する処理が行われ、その次に、統計的に基地局の通信エリア内に存在する端末数が多い基地局から優先されて処理が行われる機能を備えている。
【００１８】
以下、具体的に説明する。
図１は、本発明に係る基地局とその制御装置を含む移動体通信システム全体の構成例を示す。図示のように、１つの制御装置１に対し、複数（図示の例では４個）の基地局２ａ〜２ｃおよび広域基地局３が通信可能に接続されている。
【００１９】
基地局２ａ〜２ｃは、それぞれ端末４が在圏する通信エリア５ａ〜５ｃを有し、広域基地局３は、通信エリア５ａ〜５ｃを含む全ての端末４が在圏する通信エリア６を有する。基地局２ａ〜２ｃおよび広域基地局３は、制御装置１へ基地局設定のためのそれぞれ局データ要求を行うことができ、制御装置１は、基地局２ａ〜２ｃおよび広域基地局３に対し局データ１２ａ〜１２ｃおよび１３を送信することができる。
【００２０】
図２は、移動体通信システムにおける、特に基地局２ａ〜２ｃの各々の実施の形態１の構成例を示している。この図２は、電源監視部１０と、起動制御部２０と、周辺環境測定部３０と、局データ要求部４０と、統計情報記憶部５０とを含む。そして、電源監視部１０は、外部の商用電源７と接続され、また、電源監視部１０と周辺環境測定部３０と統計情報記憶部５０の各出力が起動制御部２０に与えられるように接続され、起動制御部２０の出力は、局データ要求部４０を介して制御装置１に与えられるように構成されている。
【００２１】
なお、以下、基地局２ａ〜２ｃについて「基地局２ａ」を代表させて説明することがあり、また通信エリア５ａ〜５ｃについても、同様に、「通信エリア５ａ」を代表させて説明することがある。
図３は、基地局通信エリア内の端末数と待ち時間との対応テーブル１１０（第１の待ち時間テーブルに相当）を示し、図４は、基地局収容可能人数と待ち時間との対応テーブル１２０（第２の待ち時間テーブルに相当）をそれぞれ示しており、これらのテーブル１１０および１２０は、起動制御部２０内に格納されている。
【００２２】
上記の構成を有する移動体通信システムの動作を、図５に示すフローチャートを参照して以下に説明する。まず、基地局２ａは、電源監視部１０にて、自基地局の電源がＯＦＦとなる際の、自基地局内で行われる処理を監視する。停電が発生し、商用電源７から自基地局の電源（図示せず）へ電力供給が遮断されるなどの異常を検出した場合、その後、自基地局の電源がＯＮとなるまで、異常が生じたことを電源監視部１０に記憶する。
【００２３】
電源がＯＮとなったとき（ステップＳ１）、起動制御部２０にて、電源監視部１０に記憶されている、前回の電源ＯＦＦ時の処理が異常であったか否かが参照される（ステップＳ２）。
【００２４】
また、電源がＯＮとなったとき（ステップＳ１）、電源監視部１０が前回の電源ＯＦＦ時の処理が異常であることを検出した場合（ステップＳ２のＹｅｓ）、基地局２ａは、周辺環境測定部３０にて、例えば周辺基地局の下り送信電力を測定し、自基地局が不感地帯に存在するか否かを検出し（ステップＳ３）、検出結果を起動制御部２０が参照する。
【００２５】
起動制御部２０は、電源監視部１０から、自基地局における前回の電源ＯＦＦ時の処理が異常であったことを判別し（ステップＳ２のＹｅｓ）、かつ、周辺環境測定部３０から自基地局が不感地帯に存在することを判別した（ステップＳ３のＹｅｓ）場合、局データ要求部４０に対し、制御装置１に対する局データ要求を待ち時間なしで実行するよう制御を行う（ステップＳ４）。
【００２６】
また、起動制御部２０は、電源監視部１０から、自基地局における前回の電源ＯＦＦ時の処理が異常であったことを判別し（ステップＳ２のＹｅｓ）、かつ、周辺環境測定部３０から自基地局が不感地帯に存在しないことを判別した（ステップＳ３のＮｏ）場合、基地局通信エリア５ａ内の端末４の個数ｘを統計情報記憶部５０から取得し（ステップＳ５）、起動制御部２０内に保持している待ち時間テーブル１１０（図３参照）に基づき、制御装置１に対する局データ要求のための待ち時間長だけ待機する（ステップＳ６）。
【００２７】
その待ち時間が経過した後、局データ要求部４０に対し、制御装置１に対する局データ要求を実行するよう命令を行う。
【００２８】
なお、統計情報記憶部５０では、あらかじめ自基地局への接続端末数ｘの時間帯別統計情報を記録しておき、各時間帯における、自基地局通信エリア内の端末４の個数が参照できるようにしておく。これにより、時間帯毎に適切な優先度を設定することができる。
【００２９】
一方、起動制御部２０は、電源監視部１０から、自基地局における前回の電源ＯＦＦ時の処理が異常ではなかったことを知らされたとき（ステップＳ２のＮｏ）、通常の処理を実行するよう、局データ要求部４０に対し命令を行う（ステップＳ７）。
【００３０】
なお、起動制御部２０は、電源がＯＦＦからＯＮになる時間間隔が短く、自基地局の電源への電力供給遮断が一時的な場合は、前回の電源ＯＦＦは異常ではなく、局データを要求する必要がないと判断し、以前（電力供給遮断前）の局データを用いて基地局設定を行ってもよい。
【００３１】
一方、起動制御部２０は、電源監視部１０から、自基地局における前回の電源ＯＦＦ時の処理が異常であったことを判別し（ステップＳ２のＹｅｓ）、かつ、周辺環境測定部３０から自基地局が不感地帯に存在しないことを判別した（ステップＳ３のＮｏ）場合、これも統計情報記憶部５０に保持されている自基地局の収容可能人数ｙと、起動制御部２０内に保持している収容可能人数対待ち時間テーブル１２０（図４参照）とを照らし合わせ、対応する待ち時間長だけ待機させ、その後、局データ要求部４０に対し、制御装置１に対する局データ要求を命令する。
【００３２】
このように、移動体通信システムにおける実施の形態１の基地局２ａは、自基地局情報取得部（電源監視部１０、周辺環境測定部３０）より取得した基地局情報に基づき、起動制御部２０にて、統計情報記憶部５０にて記録されている統計情報から得られる基地局通信エリア５ａ内の端末４の個数ｘ（または自基地局の収容可能人数ｙ）と制御部２０内に保持されている待ち時間テーブル１１０（または収容可能人数対待ち時間テーブル１２０）を照らし合わせて、局データ要求部４０の実行タイミングを制御し、制御装置１に対して局データの要求を行っている。
【００３３】
このため、制御装置１における、複数の基地局から一斉に基地局設定に関わる処理を要求されることで増大する負荷の分散と、不感地帯に存在する基地局や、通信エリア内に端末が多く存在する基地局から優先的に基地局設定が実行されることで、カバーエリアの早期回復の効果が得られる。
【００３４】
なお、基地局２ａと同様の処理が、基地局通信エリア４ｂを有する無線基地局２ｂおよび基地局通信エリア５ｃを有する無線基地局２ｃに対しても適用されることとなる。
【００３５】
実施の形態２．
本実施の形態２において、基地局と制御装置を含む移動体無線通信システム全体の構成自体は、先の実施の形態１における図１に示した移動体無線通信システムと同じであるので、図示を省略する。
【００３６】
先の実施の形態１との相違点は、基地局２ａ〜２ｃが、電源監視部１０と、起動制御部２０と、周辺環境測定部３０と、局データ要求部４０と、統計情報記憶部５０とを有しておらず、その代わり、制御装置１側が、基地局２ａ〜２ｃの端末４を通信エリア６内に有する広域基地局３における、一定時間当たりの接続端末数、もしくは無線リソース使用率の増加の度合いを元に、基地局２ａ〜２ｃにおける電源ＯＦＦが異常であったことを判断して記憶する機能と、事前に基地局が不感地帯に位置するか否かの統計情報を記憶している機能と、基地局２ａ〜２ｃに対し、基地局設定に関する処理を行う順番に優先度を設定する機能と、を有している点である。
【００３７】
以下、具体的に説明する。
図６は、上記の機能を実現する移動体通信システムにおいて、基地局２と広域基地局３、およびその制御装置１、特に本実施の形態２に係る制御装置１の具体的な構成例を示す。なお、図６の例でも、図１に示した基地局２ａ〜２ｃを基地局２ａで代表的に示している。
【００３８】
制御装置１は、異常監視部１１と、起動制御部２１と、環境記憶部３１と、基地局設定部４１と、統計情報記憶部５１とを含む。異常監視部１１は、広域基地局３と接続され、異常監視部１１と環境記憶部３１と統計情報記憶部５１の各出力が起動制御部２１に与えられるように接続され、起動制御部２１の出力は、基地局設定部４１を介して基地局２に与えられるように構成されている。
【００３９】
図７は、基地局の識別番号と処理の優先度との対応関係を示したテーブル１１１、図８は、基地局通信エリア内の端末数と処理の優先度との対応関係を示したテーブル１１２（第１の優先度テーブルに相当）、図９は、広域基地局に接続される端末数の増加の度合いと処理の優先度との対応関係を示したテーブル１１３、図１０は、基地局の収容可能な人数と処理の優先度との対応関係を示したテーブル１１４（第２の優先度テーブルに相当）をそれぞれ示しており、これらのテーブル１１１〜１１４は、起動制御部２１内に格納されている。
【００４０】
上記の構成を有する移動体通信システムの動作を、図１１に示すフローチャートを参照して以下に説明する。まず、異常監視部１１が、基地局２ａ〜２ｃを通信エリア６内に有する広域基地局３における、基地局通信エリア６内の一定時間当たりの接続端末数の増加度、もしくは無線リソース使用率の増加度を監視する（ステップＳ１１）。
【００４１】
ここで、基地局通信エリア５ａ内の端末４の個数は、広域基地局３から報告される、各端末４における電波到来方向推定情報と、上り受信電力値から求めることができる。ただし、増加度を監視するための基準値としては、あらかじめ記憶された値として、統計情報記憶部５１から取得してもよい。
【００４２】
この場合、統計情報記憶部５１では、あらかじめ各基地局２ａ〜２ｃへの接続端末数の時間帯別統計情報を記録しておき、各時間帯における、各基地局通信エリア内の端末４の個数が参照できるようにしておく。一定時間当たりの接続端末数の代わりに無線リソース使用率でもよい。
【００４３】
そして、異常監視部１１は、広域基地局３における、一定時間当たりの接続端末数、もしくは無線リソース使用率の増加度を所定の閾値と比較し、閾値を超えていることが分かったとき、広域基地局３の通信エリア６内に存在する基地局のいずれか、もしくは全てにおける商用電源（図示せず）に停電が発生し、自基地局電源への電力供給が遮断されるなどの異常が生じて電源がＯＦＦとなったと判断し（ステップＳ１２のＹｅｓ）、広域基地局３の通信エリア６内に存在する基地局に異常が生じたことを記憶する。
【００４４】
その後、起動制御部２１は、基地局２ａ〜２ｃのそれぞれに対し、電源がＯＮとなったとき、異常監視部１１に記憶されている、基地局２ａ〜２ｃにおける前回の電源ＯＦＦが異常であったかどうかを参照する。
【００４５】
そして、起動制御部２１は、異常監視部１１から、基地局２において、前回の電源ＯＦＦ時の処理が異常であったことを判別し、かつ、環境記憶部３１を参照して基地局２ａが不感地帯に存在することを判別した場合、優先度テーブル１１１（図７参照）を、不感地帯に位置する基地局２に対する基地局設定に関する処理を最優先に実行するように設定する（ステップＳ１３）。
【００４６】
なお、基地局２ａ〜２ｃが不感地帯に存在するかどうかは、あらかじめ、環境記憶部３１が分析し、その識別番号を優先度とともに記憶しておく。したがって、不感地帯に位置する基地局が複数あるときは、この優先度に基づいてテーブル１１１が設定されることになる。
【００４７】
そして、起動制御部２１は、異常監視部１１から、基地局２において、前回の電源ＯＦＦ時の処理が異常であったことを判別し（ステップＳ１２のＹｅｓ）、かつ、環境記憶部３１から基地局２ａが不感地帯に存在しないことを判別した場合、ステップＳ１３を素通りし、広域基地局３において、端末４からの電波到来方向推定情報と、上り受信電力値から測定された基地局通信エリア５ａ内の端末４の個数と、起動制御部２１内に保持している優先度テーブル１１２（図８参照）に基づき、基地局２ａに対する基地局設定に関する処理の優先度を、優先度テーブル１１１に設定する。
【００４８】
そして、起動制御部２１にて設定された、優先度テーブル１１１を、基地局設定部４１に通知する。基地局設定部４１では、起動制御部２１から通知された優先度テーブル１１１に基づき、基地局設定に関する処理の順番を決定し、その順番通りに基地局からの局データ要求に応答する（ステップＳ１４）。順番が後の基地局に対しては、局データ要求の実行を、例えば一定時間後に行うよう制御を行う。
【００４９】
本実施の形態２では、優先度を与える単位を広域基地局３の通信エリア内６に存在する全基地局毎に設定してもよい。このとき、優先度テーブル１１１は、広域基地局３における、一定時間当たりの接続端末数、もしくは無線リソース使用率の増加度ｚ（これはテーブル１１２の端末数と等価）によって、広域基地局優先度テーブル１１３（図９参照）に基づき設定される。
【００５０】
なお、起動制御部２１は、基地局２において、電源がＯＦＦからＯＮになる時間間隔が短く、自基地局の電源への電力供給遮断が一時的と判断できる場合は、基地局２に対して基地局設定を再度送信する必要がないと判断し、基地局２において以前の局データを用いて基地局設定をさせてもよい。
【００５１】
また、起動制御部２１は、異常監視部１１から、基地局における前回の電源ＯＦＦ時の処理が異常であったことを判別し、かつ、環境記憶部３１から基地局２が不感地帯に存在しないことを判別した場合、基地局２ａの収容可能人数と、起動制御部２１内に保持している収容可能人数対優先度テーブル１１４（図１０参照）とを照らし合わせ、基地局２ａに対する基地局設定に関する処理の優先度を、優先度テーブル１１１に設定してもよい。
【００５２】
このように、実施の形態２の無線通信システムにおける制御装置１は、基地局情報取得部（異常監視部１１、環境記憶部３１）より取得した基地局情報に基づき、起動制御部２１にて、基地局設定に関する処理の優先度を表す優先度テーブル１１１を設定し、基地局設定部４１に通知する。
【００５３】
基地局設定部４１は、優先度テーブル１１１に基づき、各基地局に対する基地局設定の順番を定め、処理を実行することで、基地局の局データの要求に応答するタイミングを制御している。
【００５４】
このため、制御装置１における、複数の基地局から一斉に、基地局設定に関わる処理を要求されることで増大する負荷の分散と、不感地帯に存在する基地局や、通信エリア内に端末が多く存在する基地局から優先的に基地局設定が実行されることで、カバーエリアの早期回復の効果が得られる。
【００５５】
実施の形態３．
本実施の形態２においても、基地局と制御装置を含む移動体無線通信システム全体の構成自体は、先の実施の形態１における図１に示した移動体無線通信システムと同じであるので、図示を省略する。
【００５６】
実施の形態１との相違点は、基地局２ａが、起動制御部２０と局データ要求部４０とを有しておらず、自基地局情報取得部（電源監視部１０、周辺環境測定部３０）より取得した基地局情報を、制御装置１へ送信する機能を有し、制御装置１が、基地局から前記基地局情報を取得する機能を有し、基地局２ａに対して、基地局設定に関する処理を行う順番に優先度を設定する機能を有しており、実施の形態１の機能を、基地局２ａと制御装置１とに分割した点である。従って、本実施の形態３では、移動体無線通信システムがその対象となっている。
【００５７】
以下、具体的に説明する。
図１２に示す如く、基地局２ａが、電源監視部１０と、周辺環境測定部３０と、統計情報記憶部５０と、送信部６０とを含み、電源監視部１０は外部の商用電源７と接続され、電源監視部１０と周辺環境測定部３０と統計情報記憶部５０の各出力が送信部６０に与えられるように接続されている。
【００５８】
また、制御装置１は、受信部６１と、起動制御部２１と、基地局設定部４１とを含み、受信部６１は、入力側が基地局２ａの送信部６０に接続され、出力側が起動制御部２１に接続され、起動制御部２１は基地局設定部４１を介して基地局２ａに接続されている。
【００５９】
上記の構成を有する移動体通信システムの動作を、図１３に示すフローチャートを参照して以下に説明する。なお、同図（１）は基地局２ａにおける処理過程を示し、同図（２）は制御装置１における処理過程を示している。
【００６０】
まず、基地局２ａは、電源監視部１０および周辺環境測定部３０より取得した基地局情報を、送信部６０から制御装置１に送信する。この場合、基地局情報は、上記の実施の形態と同様に、基地局２ａにおいて、前回の電源ＯＦＦ時の処理が異常か否か（ステップＳ３２のＹｅｓ）、および基地局２ａが不感地帯に存在するか否か（ステップＳ３３）を含んでいる。
【００６１】
制御装置１では、上記基地局情報を受信部６１が受信し、これを受けた起動制御部２１は、上記基地局情報から、基地局２ａにおいて、前回の電源ＯＦＦ時の処理が異常であり、かつ、基地局２ａが不感地帯に位置しないことを認識した場合（ステップＳ４１）には、内蔵する優先度テーブル１１１（図７参照）に、基地局２ａに対する基地局設定に関する処理を最優先に実行することを設定する。
【００６２】
また、起動制御部２１は、上記基地局情報から、基地局２ａにおいて、前回の電源ＯＦＦ時の処理が異常であり、かつ、基地局２ａが不感地帯に存在することを認識した場合（ステップＳ４１）には、広域基地局３において、端末４からの電波到来方向推定情報と、上り受信電力値から測定された基地局通信エリア５ａ内の端末４の個数と、起動制御部２１内に保持している優先度テーブル１１２（図８参照）に基づき、基地局２ａに対する基地局設定に関する処理の優先度を、優先度テーブル１１１に設定する（ステップＳ４２）。
【００６３】
なお、基地局通信エリア５ａ内の端末４の個数は、あらかじめ記憶された値として、基地局２ａにおける統計情報記憶部５０から取得してもよい。
【００６４】
そして、基地局設定部４１では、起動制御部２１から通知された優先度テーブル１１１に基づき、基地局設定に関する処理の順番を決定し、その順番通りに基地局からの局データ要求に応答する（ステップＳ４３）。順番が後の基地局に対しては、局データ要求の実行を、例えば一定時間後に行うよう制御を行う。
【００６５】
基地局２ａでは、制御装置１から設定された順番に従って、基地局設定を実行する（ステップＳ３４）。
【００６６】
なお、本実施の形態３においても、先の実施の形態２と同様に、優先度を与える単位を広域基地局３の通信エリア内６に存在する全基地局毎に設定してもよい。
【００６７】
また、先の実施の形態２と同様に、起動制御部２１にて、基地局２ａにおいて、電源がＯＦＦからＯＮになる時間間隔が短く、自基地局の電源への電力供給遮断が一時的な場合は、基地局２ａに対して基地局設定を再度送信する必要がないと判断し、基地局２において以前の局データを用いて基地局設定をさせてもよい。
【００６８】
さらに、本実施の形態３においても、先の実施の形態２と同様に、起動制御部２１にて、異常監視部１１から、基地局における前回の電源ＯＦＦ時の処理が異常であったことを判別し、かつ、環境記憶部３１から基地局２ａが不感地帯に存在しないことを判別した場合、基地局２ａの収容可能人数と、起動制御部２１内に保持している収容可能人数対優先度テーブル１１４とを照らし合わせ、基地局２ａに対する基地局設定に関する処理の優先度を、優先度テーブル１１１に設定してもよい。
【００６９】
このように、実施の形態３の移動体通信システムにおける基地局２ａは、基地局情報取得部（電源監視部、周辺環境測定部）より取得した基地局情報を送信部６０にて、制御装置１に送信し、制御装置１は、受信部６１にて受信した基地局情報に基づき、優先度設定部にて、優先度テーブルを参照して、早期のカバーエリア回復が求められる基地局に対して優先的に基地局設定に関する処理を実行する。
【００７０】
これにより、制御装置１における、複数の基地局から一斉に、基地局設定に関わる処理を要求されることで増大する負荷の分散と、不感地帯に存在する基地局や、通信エリア内に端末が多く存在する基地局から優先的に基地局設定が実行されることで、カバーエリアの早期回復の効果が得られる。
【符号の説明】
【００７１】
１  制御装置、２ａ〜２ｃ、２  基地局、３  広域基地局、４  端末、５ａ〜５ｃ、６  基地局通信エリア、７  商用電源、１０  電源監視部、１１  異常監視部、２０、２１  起動制御部、３０  周辺環境測定部、３１  環境記憶部、４０  局データ要求部、４１  基地局設定部、５０、５１  統計情報記憶部、６０  送信部、６１  受信部、１１０、１２０  待ち時間テーブル、１１１〜１１４  優先度テーブル。
【図１】
0005822769.tif 000002
【図２】
0005822769.tif 000003
【図３】
0005822769.tif 000004
【図４】
0005822769.tif 000005
【図５】
0005822769.tif 000006
【図６】
0005822769.tif 000007
【図７】
0005822769.tif 000008
【図８】
0005822769.tif 000009
【図９】
0005822769.tif 000010
【図１０】
0005822769.tif 000011
【図１１】
0005822769.tif 000012
【図１２】
0005822769.tif 000013
【図１３】
0005822769.tif 000014